【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】  処方データに基づいて調剤処理を行うための調剤システムにおいて、
第１のＵＳＢ通信制御部を備える少なくとも１台の調剤装置と、
第２のＵＳＢ通信制御部を備え、該第２のＵＳＢ通信制御部と前記第１のＵＳＢ通信制御部が接続されると、予め入力された１包単位に変換された前記処方データを前記調剤装置に送信する少なくとも１台の端末と
を備えることを特徴とする、調剤システム。
【請求項２】  前記調剤装置は複数台あり、
前記端末は、前記複数の調剤装置に対応する前記１包単位に変換された処方データを記憶する記憶部をさらに備えることを特徴とする、請求項１に記載の調剤システム。
【請求項３】
前記調剤装置は分包装置を含み、
前記分包装置の前記第１のＵＳＢ制御部に前記端末の前記第２のＵＳＢ通信制御部が接続され、かつ前記分包装置が分包可能状態となると、前記端末の表示装置に前記分包装置で包装される情報が一覧表示され、かつ前記分包機は前記表示装置の一覧表示のうちから選択された処方に基づいて分包動作を実行することを特徴とする、請求項１に記載の調剤システム。
【請求項４】
前記調剤装置は複数台あり、
前記調剤装置毎に設けられ、前記処方データに基づいて対応する調剤装置を制御するクライアントコンピュータと、
各クライアントコンピュータと通信回線を介して接続され、各クライアントコンピュータに前記処方データを送信するサーバとをさらに備え、
前記複数台の調剤装置のうちのいずれかの前記第１のＵＳＢ制御部に前記端末の前記第２のＵＳＢ制御部が接続されると、その調剤装置は、前記クライアントコンピュータが前記通信回線を介して前記サーバから受信した前記処方データに基づく処理を中断し、かつ前記端末から受信した前記１包単位に変換された処方データに基づく処理を実行することを特徴とする、請求項１に記載の調剤システム。
【手続補正２】
【補正対象書類名】明細書
【補正対象項目名】０００７
【補正方法】変更
【補正の内容】
【０００７】
【課題を解決するための手段】
従って、本発明は、処方データに基づいて調剤処理を行うための調剤システムにおいて、第１のＵＳＢ通信制御部を備える少なくとも１台の調剤装置と、第２のＵＳＢ通信制御部を備え、該第２のＵＳＢ通信制御部と前記第１のＵＳＢ通信制御部が接続されると、予め入力された１包単位に変換された前記処方データを前記調剤装置に送信する少なくとも１台の端末とを備えることを特徴とする、調剤システムを提供する。
【手続補正３】
【補正対象書類名】明細書
【補正対象項目名】００１６
【補正方法】変更
【補正の内容】
【００１６】
ホストコンピュータ５には処方箋に記載される情報に対応する処方データがマニュアル入力される。ホストコンピュータ５に通信機能を持たせ、他のコンピュータからホストコンピュータ５に処方データを送信してもよい。ホストコンピュータ５は入力された処方データを複数個の１包単位データに変換し、この１包単位データ群を携帯端末６に送信する。ホストコンピュータ５に代えて、例えばスタンドアロン環境にあるパーソナルコンピュータで処方データの作成及び処方データの１包単位データへの変換を行ってもよい。
【手続補正４】
【補正対象書類名】明細書
【補正対象項目名】００２０
【補正方法】変更
【補正の内容】
【００２０】
携帯端末６はホストコンピュータ５から受信した１包単位データ群をレコード形式で記憶部６ｂに記憶する。また、携帯端末６は１包単位データを調剤装置１〜４に対して逐次送信する。例えば、散薬分包機１に対して携帯端末６を接続した場合、まず複数包分（例えば５包分）の１包単位データが携帯端末６から散薬包装機１に送信され、記憶部１ｄに記憶される。そして、１個の１包単位データに対応する分包作業が完了する度に、新たな１包単位データを散薬分包機１に対して送信する。
【手続補正５】
【補正対象書類名】明細書
【補正対象項目名】００２８
【補正方法】変更
【補正の内容】
【００２８】
本実施形態に係る調剤システムの運用の一例を概説すると、まず、ホストコンピュータ５で作成された各調剤装置１〜４に対応する１包単位データ群が携帯端末６に送信され、レコード形式で保存される。１包単位データ群はオペレータ（担当者）、外科、内科等の処方区分、期間等で分類し、これらの分類に基づいて出力可能としてもよい。次に、オペレータは携帯端末６を操作して表示部５に処方データを表示させ、その内容を確認する。その後、オペレータはいずれかの調剤装置１〜４に携帯端末６を接続し、その調剤装置の電源を投入する。携帯端末６は接続した調剤装置１〜４の認識（散薬分包機１、錠剤分包機２、薬袋印刷装置３、及び注射薬払出装置４のうちいずれであるかの認識）を行い、対応する１包単位データ群を抽出する。前述のように電源投入と端末接続の順序は逆でもよい。携帯端末６を散薬分包機１に接続する場合を例に説明すると、まず、携帯端末６のＵＳＢポート６ｄを散薬分包機１のＵＳＢポート１ｆとをＵＳＢケーブル７により接続し、散薬分包機１の電源を投入する。電源投入された散薬分包機１は、初期動作を行い分包可能状態になると「分包準備可能」情報を携帯端末６に送信する。この「分包準備可能」を受信すると、携帯端末６の表示部６に散薬分包機１で包装される情報が一覧表示される。同時に、表示された処方について分包動作を行うか否かをオペレータに選択させるための表示が表示部６に表示される。一覧表示された処方は全選択又は任意選択のいずれも可能であることが好ましい。分包動作実行が選択されると、散薬分包機１は１包単位に変換された処方データに基づいて散薬の分包動作を実行する。１包分の分包動作が完了すると、当該分包動作が完了したことを示す情報が、開始時刻及び完了時刻等の共に散薬分包機１から携帯端末６に送信され、携帯端末６はこれらの情報を順次記憶する。すべての分包動作が完了すると携帯端末６と散薬分包機１の接続が解除される。携帯端末６とホストコンピュータ５を接続し、調剤処理が完了したことを示すデータをホストコンピュータ６に送信し、履歴データとして保存してもよい。携帯端末６がホストコンピュータ５から受信した１包単位データ群に散薬分包機１以外の調剤装置に対応する処理があれば、当該調剤装置１〜４と携帯端末６を接続して同様の手順が繰り返される。
【手続補正６】
【補正対象書類名】明細書
【補正対象項目名】００２９
【補正方法】変更
【補正の内容】
【００２９】
（第２実施形態）
図３に示す本発明の第２実施形態の調剤システムは、携帯端末６が、散薬分包機１、錠剤分包機２、薬袋印刷装置３、及び注射薬払出装置４がＵＳＢハブ８を介して携帯端末６に接続されている。第２実施形態のその他の構成及び作用は第１実施形態と同様であるので、同一の要素には同一の符号を付して説明を省略する。
【手続補正７】
【補正対象書類名】明細書
【補正対象項目名】００３０
【補正方法】変更
【補正の内容】
【００３０】
（第３実施形態）
図４に示す本発明の第３実施形態は、イーサーネット等の通信回線により構成されたシステムに本発明を付加的に適用した例である。各調剤装置１〜４毎に制御用のパーソナルコンピュータ（クライアントコンピュータ）９があり、これらのパーソナルコンピュータ９とサーバ１０とはイーサーネット等の通信回線１１により接続されている。各調剤装置１〜４はパーソナルコンピュータ９との通信を実行するための通信ボードを備えている。